(57)【特許請求の範囲】
【請求項１】
地図上の表示位置が特定可能な特定データが格納されたメモリを有する携帯機器が接続される接続手段と、
前記接続手段によって接続された前記携帯機器のメモリから前記特定データを読み込むデータ読込手段と、
前記データ読込手段によって読み込まれた前記特定データに基づいて、地図上の表示位置を特定する表示位置特定手段と、
地図画像を描画するとともに、この描画範囲に前記特定データに対応する表示位置が含まれているときに、前記地図画像上のこの表示位置に対応する箇所に前記特定データの存在を示す所定の特定画像を描画する描画手段と、
前記描画手段によって描画された前記地図画像と前記特定画像を表示装置に表示する表示処理手段と、
前記メモリに格納された前記特定データの中から少なくとも一つを選択する選択画面を描画する選択画面描画手段と、
前記データ読込手段による前記特定データの読み込みを指示するとともに、前記選択画面を用いて前記特定データの選択指示を行う操作手段と、
を備え、前記データ読込手段は、前記操作手段が操作されて前記特定データの読み込みが指示されたときに、前記メモリから前記特定データの読み込みを行い、前記表示位置特定手段は、前記操作手段が操作されて前記選択画面を用いた前記特定データの選択が行われたときに、この選択された前記特定データを対象にして前記表示位置を特定することを特徴とするナビゲーション装置。
【請求項２】
地図上の表示位置が特定可能であって複数のグループに分類された特定データが格納されたメモリを有する携帯機器が接続される接続手段と、
前記接続手段によって接続された前記携帯機器のメモリから前記特定データを読み込むデータ読込手段と、
前記データ読込手段によって読み込まれた前記特定データに基づいて、地図上の表示位置を特定する表示位置特定手段と、
地図画像を描画するとともに、この描画範囲に前記特定データに対応する表示位置が含まれているときに、前記地図画像上のこの表示位置に対応する箇所に前記特定データの存在を示す所定の特定画像を描画する描画手段と、
前記描画手段によって描画された前記地図画像と前記特定画像を表示装置に表示する表示処理手段と、
前記複数のグループの少なくとも一つを選択する選択画面を描画する選択画面描画手段と、
前記データ読込手段による前記特定データの読み込みを指示するとともに、前記選択画面に含まれる複数のグループの選択指示を行う操作手段と、
を備え、前記データ読込手段は、前記操作手段が操作されて前記特定データの読み込みが指示されたときに、前記メモリから前記特定データの読み込みを行い、前記表示位置特定手段は、前記操作手段が操作されて前記選択画面に含まれる前記グループの選択が行われたときに、この選択されたグループに属する前記特定データを対象にして前記表示位置を特定することを特徴とするナビゲーション装置。
【請求項３】
請求項１または２において、
前記携帯機器は、携帯電話であり、
前記データ読込手段は、前記携帯電話が有する登録機能を用いて前記メモリに格納された前記特定データを読み込むことを特徴とするナビゲーション装置。
【請求項４】
請求項１〜３のいずれかにおいて、
前記特定データは、電話番号および住所の少なくとも一方であり、
前記表示位置特定手段は、前記特定データに基づいて前記地図上の経度および緯度を表示位置として特定することを特徴とするナビゲーション装置。
【請求項５】
請求項１〜４のいずれかにおいて、
前記メモリには、前記特定データに対応する氏名、名称を連想可能な付随データが格納されており、
前記データ読込手段は、前記特定データとともに前記付随データの読込みを行い、
前記描画手段は、前記特定画像として前記付随データの内容を描画することを特徴とするナビゲーション装置。
【請求項６】
請求項１〜５のいずれかにおいて、
前記メモリには、前記特定データに対応する登録画像が格納されており、
前記データ読込手段は、前記特定データとともに前記登録画像のデータの読込みを行い、
前記描画手段は、前記特定画像として前記登録画像を描画することを特徴とするナビゲーション装置。
【発明の詳細な説明】
【０００１】
【発明の属する技術分野】
本発明は、車両位置周辺あるいは任意に指定された位置周辺の地図画像を表示するナビゲーション装置に関する。
【０００２】
【従来の技術】
一般に、車載用のナビゲーション装置は、車両位置の周辺や利用者によって指定された任意位置の周辺の地図画像を画面上に表示する地図表示機能や、利用者により指定された目的地や経由地までの経路を検索する経路探索機能や、経路探索によって求められた経路に沿って車両の走行を誘導する経路誘導機能等を有している。また、ほとんどのナビゲーション装置は、画面上に地図画像を表示する際に、利用者によって指定された特定の施設（例えば、コンビニエンスストアや銀行、官公庁等）を示す特定画像をその所在地に重ねて表示する施設案内機能を有している。
【０００３】
通常これらの各機能は、ＣＤ（コンパクトディスク）、ＤＶＤ（デジタルバーサタイルディスク）等のディスク型媒体や通信媒体等を介して提供される地図情報に基づいて所定の処理を行うことにより実現される。
また、最近の車両には、運転中に携帯電話をかけたり、運転中にかかってきた携帯電話にでることができるハンズフリー装置が備わっているものがある。この装置では、ハンドル近傍に所定のスイッチ類が備わっており、このスイッチ類を操作することにより、かかってきた携帯電話にでることや、携帯電話のメモリに登録されている電話番号に対して電話をかけることができるようになっている。
【０００４】
例えば、上述したハンズフリー装置では、ナビゲーション装置等に備わった表示装置を用いて携帯電話のメモリの登録内容を一覧表示し、この中から利用者によって選択された一の電話番号に対して電話をかけることができる。
【０００５】
【発明が解決しようとする課題】
ところで、上述したナビゲーション装置が有する施設案内機能を用いることにより、特定の施設の所在地を示す特定画像を地図画像に重ねて表示することができるため、走行中の自車位置周辺やスクロール操作中に表示される地図画像中に特定施設が含まれているか否かを、表示中の地図画像を見るだけで簡単に知ることができる。しかし、同様にして友人宅や利用者自身に関連する特定の会社等の所在地を知ろうとしても、これらの所在地を地図画像上に表示する機能が従来のナビゲーション装置には備わっていないため、このような表示が不可能であるか、あるいは同等の表示を行うために煩雑な操作が必要になるという問題があった。
【０００６】
例えば、従来のナビゲーション装置の中には、任意の地点を登録することが可能であり、この登録地点が地図画像の表示範囲に含まれる場合に、この登録地点に所定の画像（例えば旗マーク）を表示する機能を有するものがある。このため、所在地を表示させたい友人宅等を全て登録しておくことにより、走行中あるいはスクロール中の地図画像上にこれらの所在地を示すことが可能になるが、友人宅等を一つ一つ登録する必要があるため、その操作が煩雑であるとともに誤操作を行うおそれがある。
【０００７】
また、上述したように、ハンズフリー装置を用いることにより、ナビゲーション装置等に携帯電話の登録内容を送って一覧表示することができるが、これらの情報は電話をかけるために用いられるため、結局、携帯電話に登録された友人等の自宅の所在地を地図上に表示しようとすると、携帯電話の表示部に登録内容を表示させながら、ナビゲーション装置の操作画面において友人の電話番号等を一つ一つ利用者自身が入力する必要がある。
【０００８】
本発明は、このような点に鑑みて創作されたものであり、その目的は、煩雑な操作を行うことなく特定の登録情報に対応する所在地を地図上に表示することができるナビゲーション装置を提供することにある。
【０００９】
【課題を解決するための手段】
上述した課題を解決するために、本発明のナビゲーション装置は、地図上の表示位置が特定可能な特定データが格納されたメモリを有する携帯機器が接続される接続手段と、接続手段によって接続された携帯機器のメモリから特定データを読み込むデータ読込手段と、データ読込手段によって読み込まれた特定データに基づいて、地図上の表示位置を特定する表示位置特定手段と、地図画像を描画するとともに、この描画範囲に特定データに対応する表示位置が含まれているときに、地図画像上のこの表示位置に対応する箇所に特定データの存在を示す所定の特定画像を描画する描画手段と、描画手段によって描画された地図画像と特定画像を表示装置に表示する表示処理手段とを備えている。携帯機器のメモリに格納されている特定データが読み出され、この特定データに対応する地図上の表示位置が特定されてこの表示位置に表示する特定画像が描画されるため、携帯機器に格納されている特定の登録情報を煩雑な操作を行って利用者自身で入力する必要がなく、この登録情報に対応する所在地を地図上に表示することが可能になる。また、利用者自身が入力操作を行わないため、入力ミスの発生を防止することができる。
【００１０】
また、上述した携帯機器は、携帯電話であり、データ読込手段は、携帯電話のアドレス帳が有する登録機能を用いてメモリに格納された特定データを読み込むことが望ましい。一般に、携帯電話には、連絡を取る可能性の高い友人や最近つきあいのある相手等の電話番号等が登録されているため、これらの登録情報に対応する所在地を地図上に表示する必要性が比較的高いと考えられる。したがって、これらの所在地を地図上に表示することにより、利用者が希望する連絡先等に対応する所在地を表示させるために必要な煩雑な手間を低減する効果が大きいといえる。
【００１１】
また、上述した特定データは、電話番号および住所の少なくとも一方であり、表示位置特定手段は、特定データに基づいて地図上の経度および緯度を表示位置として特定することが望ましい。車載用のナビゲーション装置には、電話番号や住所等に基づいてこれらの対応する位置（経度、緯度）を検索する機能を有するものが多いため、この機能を用いることにより、特定データに対応する表示位置を容易に特定することができる。
【００１２】
また、上述したメモリには、特定データに対応する氏名、名称を連想可能な付随データが格納されており、データ読込手段は、特定データとともに付随データの読込みを行い、描画手段は、特定画像として付随データの内容を描画することが望ましい。携帯電話等の携帯機器の一般的な使用方法を考えると、電話番号に対応する氏名、名称を登録する際に、利用者自身のみにわかる適当な愛称や略称等を用いることが多いため、電話番号や住所等とともにこれらの愛称や略称を含む付随データを読み込んで表示に際してこれらの愛称等を用いることにより、利用者は所在地表示の対象となっている人や施設等を容易に知ることができる。
【００１３】
また、上述したメモリには、特定データに対応する登録画像が格納されており、データ読込手段は、特定データとともに登録画像のデータの読込みを行い、描画手段は、特定画像として登録画像を描画することが望ましい。画像を登録することができる携帯電話等の携帯機器においては、電話番号あるいはこの電話番号に対応する氏名や名称が容易に思いつくような画像登録が行われる場合が多い。したがって、携帯機器に登録された画像を読み込んで地図上に表示することにより、利用者は、所在地表示の対象となっている人や施設等を容易に知ることができる。
【００１４】
また、上述したメモリに格納された特定データは、複数のグループに分類されており、複数のグループの少なくとも一つを選択する選択画面を描画する選択画面描画手段と、選択画面に含まれる複数のグループの選択指示を行う操作手段とを更に備えるとともに、データ読込手段は、操作手段が操作されて選択画面に含まれるグループの選択が行われたときに、この選択されたグループに属する特定データを読み込むことが望ましい。最近の携帯電話等の携帯機器では、重要度や用途等に応じて利用者自身が作成したグループ毎に電話番号を登録することができるようになっている場合が多い。したがって、これらのグループの中から利用者自身がグループを選択して表示対象を絞ることにより、利用者が表示を希望する電話番号等に対応する所在地のみを選択的に地図上に表示することが可能になる。
【００１５】
また、上述したメモリに格納された特定データの中から少なくとも一つを選択する選択画面を描画する選択画面描画手段と、選択画面を用いて特定データの選択指示を行う操作手段とをさらに備えるとともに、データ読込手段は、操作手段が操作されて選択画面を用いた特定データの選択が行われたときに、この選択された特定データを読み込むことが望ましい。携帯機器に登録された複数の特定データの中から一部を選択することにより、本当に必要な所在地表示のみを選択的に行うことが可能になる。
【００１６】
【発明の実施の形態】
以下、本発明を適用した一実施形態のナビゲーション装置について、図面を参照しながら説明する。
（１）ナビゲーション装置の全体構成
図１は、本実施形態のナビゲーション装置の構成を示す図である。図１に示すナビゲーション装置は、ナビゲーションコントローラ１、ＤＶＤ２、ディスク読取装置３、リモートコントロール（リモコン）ユニット４、車両位置検出部５、ディスプレイ装置６、携帯電話７を含んで構成されている。
【００１７】
ナビゲーションコントローラ１は、ナビゲーション装置の全体動作を制御するものである。このナビゲーションコントローラ１は、ＣＰＵ、ＲＯＭ、ＲＡＭ等を用いて所定の動作プログラムを実行することによりその機能が実現される。ナビゲーションコントローラ１の詳細構成については後述する。
【００１８】
ＤＶＤ２は、地図表示や経路探索などに必要な地図データが格納されている情報記憶媒体である。このＤＶＤ２には、経度および緯度で適当な大きさに区切られた矩形形状の図葉を単位とした地図データが格納されている。各図葉の地図データは、図葉番号を指定することにより特定され、読み出すことが可能となる。各図葉の地図データには、（１）地図画像の表示に必要な各種データからなる「描画ユニット」、（２）マップマッチングや経路探索、経路誘導等の処理に必要な各種データからなる「道路ユニット」、（３）交差点の詳細情報を表す各種データからなる「交差点ユニット」などが含まれている。また、上述した描画ユニットには、図葉内に含まれる各種施設に対応してこれらの施設に関する情報を格納した施設詳細データが含まれている。
【００１９】
ディスク読取装置３は、１枚あるいは複数枚のＤＶＤ２が装填可能であり、ナビゲーションコントローラ１の制御によっていずれかのＤＶＤ２から地図データの読み出しを行う。なお、装填されるディスクは必ずしもＤＶＤでなくてもよく、ＣＤでもよい。また、ＤＶＤとＣＤの双方を選択的に装填可能としてもよい。
【００２０】
リモコンユニット４は、上下左右の方向を指定するジョイスティックと、数字を入力するテンキーや各種の設定などを確定する「決定キー」などの各種の操作キーとを備えており、操作内容に応じた信号をナビゲーションコントローラ１に出力する。
【００２１】
車両位置検出部５は、例えば、ＧＰＳ受信機、方位センサ、距離センサなどを備えており、所定のタイミングで車両位置（経度、緯度）の検出を行い、検出結果を出力する。
ディスプレイ装置６は、ナビゲーションコントローラ１から出力される描画データに基づいて、自車位置周辺の地図画像や、周辺施設の検索結果などの各種画像を表示する。
【００２２】
携帯電話７は、内蔵メモリに個人情報を登録する登録機能を有しており、この個人情報に含まれる電話番号を用いて電話をかけることができる。個人情報には、（１）グループ、（２）各個人の愛称や略称等の名称（この名称が付随データに対応する）、（３）電話番号、（４）住所、（５）メールアドレス、（６）登録画像、などの各データが含まれている。例えば、（２）と（３）は必須の登録項目であり、（１）、（４）〜（６）は必要に応じて登録される任意項目である。これらの個人情報の中で、電話番号あるいは住所が個人情報に対応する地図上の表示位置を特定する特定データとして用いられる。また、この携帯電話７は、所定のケーブル７ａを介してナビゲーションコントローラ１に常時接続しておく必要はなく、必要に応じて接続される。
【００２３】
（２）ナビゲーションコントローラ１の詳細構成
次に、ナビゲーションコントローラ１の詳細構成について説明する。図１に示すナビゲーションコントローラ１は、地図バッファ１０、地図読出制御部１２、地図描画部１４、データ読込部１６、表示位置特定部１７、特定画像描画部１８、ＶＲＡＭ２０、読出制御部２１、車両位置計算部２２、経路探索処理部２４、誘導経路メモリ２６、誘導経路描画部２８、入力処理部３０、操作画面発生部３２、マーク画像描画部３４、画像合成部３６を含んで構成されている。
【００２４】
地図バッファ１０は、ディスク読取装置３によってＤＶＤ２から読み出された地図データを一時的に格納する。地図読出制御部１２は、車両位置計算部２２により算出される車両位置や入力処理部３０からの指示に応じて、所定範囲の地図データの読み出し要求をディスク読取装置３に出力する。地図描画部１４は、地図バッファ１０に格納された地図データに基づいて、地図を表示するために必要な描画処理を行って地図画像データを作成する。作成された地図画像データはＶＲＡＭ２０に格納され、読出制御部２１によって１画面分の地図画像データが読み出される。
【００２５】
また、データ読込部１６は、所定のケーブル７ａを介して接続された携帯電話７のメモリに格納されている各種データの読込みを行う。例えば、このメモリに登録された個人情報を、全てあるいは指定されたグループ毎に読み込む。
表示位置特定部１７は、データ読込部１６によって読み込まれた個人情報に含まれる電話番号に対応する位置（経度、緯度）を特定する。特定画像描画部１８は、表示位置特定部１７によって特定された位置に、この位置を特定するために用いた個人情報に関連する特定画像を描画する。この特定画像とは、個人情報に対応する個人の氏名や名称を連想可能な画像であって、最も簡単には個人情報に含まれる愛称や略称等の名称を示すテキストが用いられる。あるいは、個人情報に含まれる画像も、各個人情報に対応する個人そのものを連想可能な内容である場合が多いと考えられるため、個人情報として登録された画像を特定画像として用いるようにしてもよい。このようにして描画された特定画像データは、ＶＲＡＭ２０に格納された地図画像データ上であって、表示位置特定部１７によって特定された位置に対応させて上書きされる。
【００２６】
車両位置計算部２２は、車両位置検出部５から出力される検出データに基づいて自車位置を計算するとともに、計算した自車位置が地図データの道路上にない場合には、自車位置を修正するマップマッチング処理を行う。
経路探索処理部２４は、利用者によって指定された出発地と目的地（あるいは経由地）の間を所定条件下で結ぶ走行経路（誘導経路）を探索する。誘導経路メモリ２６は、経路探索処理部２４によって抽出された走行経路に対応する経路データを格納する。誘導経路描画部２８は、誘導経路メモリ２６に格納された経路データの中から、その時点でＶＲＡＭ２０に描画された地図画像に含まれるものを選び出し、誘導経路を地図上に重ねて表示するための誘導経路描画データを生成する。
【００２７】
入力処理部３０は、リモコンユニット４から入力される各種操作指示に対応する動作を行うための命令をナビゲーションコントローラ１内の各部に向けて出力する。操作画面発生部３２は、利用者が各種の操作指示を行うために必要な操作画面を表示するための描画データを生成する。マーク画像描画部３４は、マップマッチング処理がなされた後の自車位置に対応させて表示する車両位置マークや、カーソル位置に対応させて表示するカーソルマークなど、各種のマークを表示するために必要な描画データを生成する。
【００２８】
画像合成部３６は、読出制御部２１によってＶＲＡＭ２０から読み出された１画面分の地図画像データと、操作画面発生部３２およびマーク画像描画部３４から出力される描画データとを重ねて画像合成を行い、合成描画データをディスプレイ装置６に出力する。
【００２９】
上述したケーブル７ａが接続手段に、データ読込部１６がデータ読込手段に、表示位置特定部１７が表示位置特定手段に、地図描画部１４、特定画像描画部１８が描画手段に、ＶＲＡＭ２０、読出制御部２１が表示処理手段に、ディスプレイ装置６が表示装置にそれぞれ対応している。また、操作画面発生部３２が選択画面描画手段に、リモコンユニット４、入力処理部３０が操作手段にそれぞれ対応する。
【００３０】
（３）ナビゲーション装置の動作
本実施形態のナビゲーション装置は上述した構成を有しており、次に、その動作を説明する。
図２は、携帯電話に登録された個人情報に基づいて表示位置を特定するナビゲーション装置の動作手順を示す流れ図である。
【００３１】
データ読込部１６は、利用者によりリモコンユニット４が操作されて、携帯電話７のメモリに格納された個人情報の読込みが指示されたか否かを判定する（ステップ１００）。個人情報の読込みを指示する所定の操作が行われない場合には否定判断が行われ、この判定処理が繰り返される。また、個人情報の読込みを指示する所定の操作が行われた場合には、ステップ１００の判定において肯定判断が行われ、次に、データ読込部１６は、ケーブル７ａを介して携帯電話が接続されているか否かを判定する（ステップ１０１）。例えば、携帯電話７に備わったケーブル接続用の特定端子から出力される特定信号の有無を調べることにより、携帯電話７の接続の有無を調べることができる。特定信号を検出することができない場合にはステップ１０１の判定において否定判断が行われる。この場合には、操作画面発生部３２は、携帯電話７の接続を促すメッセージ画面を作成して表示する（ステップ１０２）。その後、ステップ１０１に戻って、携帯電話接続の有無判定が繰り返される。
【００３２】
また、特定信号が検出された場合にはステップ１０１の判定において肯定判断が行われ、次に、データ読込部１６は、携帯電話７のメモリに格納されている個人情報の読込みを行う（ステップ１０３）。個人情報の読込みが終了すると、データ読込部１６は、この読み込んだ個人情報についてグループが設定されているか否かを判定する（ステップ１０４）。
【００３３】
グループが設定されていない場合には否定判断が行われ、次に、データ読込部１６は、個人情報に含まれる名称の一覧を表示するとともに（ステップ１０５）、利用者の選択操作に応じてこの名称一覧の中からいずれかを選択する処理を行う（ステップ１０６）。この選択処理によって、読み込んだ全ての個人情報の中から、利用者が選択を希望する一あるいは複数の個人情報が選択される。また、上述した名称一覧の表示は、名称一覧が含まれる選択ウインドウを操作画面発生部３２によって作成して、ディスプレイ画面に表示することにより行われる。
【００３４】
図３は、読み込んだ個人情報の名称一覧表示の具体例を示す図である。図３に示すように、画面の一部に、名称一覧を含む選択ウインドウＷ１が表示される。一方、グループが設定されている場合にはステップ１０４の判定において肯定判断が行われ、次に、データ読込部１６は、読み込んだ個人情報の中から抽出したグループの一覧を表示するとともに（ステップ１０７）、利用者の選択操作に応じてこのグループ一覧の中からいずれかを選択する処理を行う（ステップ１０８）。この選択処理によって、読み込んだ全ての個人情報の中から、利用者が選択を希望する一あるいは複数のグループに属する個人情報が選択される。また、上述したグループ一覧の表示は、グループ一覧が含まれる選択ウインドウを操作画面発生部３２によって作成して、ディスプレイ画面に表示することにより行われる。
【００３５】
図４は、読み込んだ個人情報のグループ一覧表示の具体例を示す図である。図４に示すように、画面の一部に、グループ一覧を含む選択ウインドウＷ２が表示される。
次に、表示位置特定部１７は、このようにして選択された個人情報に含まれる電話番号を抽出し、この電話番号に基づいてこの個人情報に対応する個人や企業等の所在地（経度、緯度）を表示位置として特定する（ステップ１０９）。その後、ステップ１００に戻って個人情報の読込指示の有無判定が繰り返される。
【００３６】
図５は、走行中において自車位置周辺の地図表示を行うナビゲーション装置の動作手順を示す流れ図であり、表示位置が特定された個人情報に関する表示を行う場合の動作手順が示されている。
車両位置検出部５の出力等に基づいて車両位置計算部２２によって車両位置が検出されると（ステップ２００）、地図描画部１４は、この検出された車両位置に対応してＤＶＤ２から読み出されて地図バッファ１０に格納された地図データに基づいて車両位置周辺に対応した描画処理を行う（ステップ２０１）。この描画された地図画像データはＶＲＡＭ２０に書き込まれる。
【００３７】
次に、特定画像描画部１８は、利用者によって選択された個人情報に対応して特定された表示位置がこの描画位置に含まれるか否かを判定する（ステップ２０２）。描画範囲に個人情報の表示位置が含まれる場合には肯定判断が行われ、次に、特定画像描画部１８は、描画範囲に含まれる個人情報のそれぞれについて、個人情報に含まれる名称を示すテキスト画像、あるいは登録画像が存在する場合にはこのテキスト画像と登録画像の両方を、各個人情報に対応する特定画像としてこの個人情報に対応する表示位置に描画する（ステップ２０３）。この描画処理は、ＶＲＡＭ２０の該当領域に既に描画されている地図画像に対して特定画像を上書きすることにより行われる。その後、ＶＲＡＭ２０に格納された地図画像が読出制御部２１によって読み出されて、画像合成部３６を介してディスプレイ装置６に表示される（ステップ２０４）。
【００３８】
また、描画範囲にいずれの個人情報の表示位置も含まれない場合にはステップ２０２の判定において否定判断が行われる。この場合には、特定画像が上書きされない地図画像がＶＲＡＭ２０から読み出されてディスプレイ装置６に表示される（ステップ２０４）。
【００３９】
図６および図７は、個人情報に対応する特定画像が含まれる地図画像表示の具体例を示す図である。図６に示す表示例では、自車位置マークＧの近傍に特定画像の表示位置がある場合であって、この特定画像として個人情報に含まれるテキスト画像のみが含まれる場合に対応している。図６に示す例では、特定画像として名称「たろう」、「ツヨシ」を示すテキスト画像が表示される。
【００４０】
また、図７に示す表示例では、自社位置マークＧの近傍に特定画像の表示位置がある場合であって、この特定画像として個人情報に含まれるテキスト画像と登録画像の両方が含まれる場合に対応している。例えば、登録画像として個人情報に対応する個人の上半身画像が用いられている場合には、図７に示すように、この上半身画像と名称のテキスト画像が含まれる特定画像が表示される。
【００４１】
次に、利用者による選択操作に応じて個人情報を選択する動作について説明する。
図８は、グループ設定がなされていない個人情報を読み込んだ場合の選択動作手順を示す流れ図であり、図２に示したステップ１０６の選択処理の詳細な動作手順が示されている。
【００４２】
まず、データ読込部１６は、表示された名称一覧に対して利用者によって全選択が指示されたか否かを判定する（ステップ３００）。登録されている個人情報の全てに対して選択指示が行われた場合には肯定判断が行われ、次に、データ読込部１６は、全ての個人情報を選択する（ステップ３０１）。
【００４３】
また、利用者によって全選択が指定されない場合にはステップ３００の判定において否定判断が行われ、次に、データ読込部１６は、利用者によって詳細選択指示がなされたか否か（ステップ３０２）、リモコンユニット４の「決定」キー等が押下されて選択状態が決定したか否か（ステップ３０３）を判定する。名称一覧の中から一あるいは複数の名称を指し示す詳細選択指示がなされた場合にはステップ３０２の判定において肯定判断が行われ、次に、データ読込部１６は、この詳細選択指示によって指し示された名称を特定する（ステップ３０４）。その後、リモコンユニット４の「決定」キーが押下されると、ステップ３０２の判定において否定判断が、ステップ３０３の判定において肯定判断がそれぞれ行われた後、特定された名称に対応する個人情報が選択される（ステップ３０１）。
【００４４】
このようにして、グループ設定が行われていない個人情報に対する選択処理が行われる。
図９は、グループ設定がなされている個人情報を読み込んだ場合の選択動作手順を示す流れ図であり、図２に示したステップ１０８の選択処理の詳細な動作手順が示されている。
【００４５】
まず、データ読込部１６は、表示されたグループ一覧に対して利用者によって全選択が指示されたか否かを判定する（ステップ４００）。登録されている個人情報に含まれる全てのグループに対して選択指示が行われた場合には肯定判断が行われ、次に、データ読込部１６は、全てのグループに属する個人情報、すなわち全ての個人情報を選択する（ステップ４０１）。
【００４６】
また、利用者によって全選択が指示されない場合にはステップ４００の判定において否定判断が行われ、次に、データ読込部１６は、利用者によってグループ選択指示がなされたか否か（ステップ４０２）、リモコンユニット４の「決定」キー等が押下されて選択状態が決定したか否か（ステップ４０３）を判定する。グループ一覧の中から一あるいは複数のグループの選択指示が行われた場合にはステップ４０２の判定において肯定判断が行われ、次に、データ読込部１６は、選択指示されたグループに含まれる各個人情報に対してさらに詳細選択が指示されたか否かを判定する（ステップ４０４）。詳細選択が指示されない場合には否定判断が行われ、選択指示されたグループが特定される（ステップ４０５）。一方、詳細選択が指示された場合にはステップ４０４の判定において肯定判断が行われ、選択指示されたグループに属する各個人情報の名称の中から、詳細選択指示によって指し示された名称を特定する（ステップ４０６）。
【００４７】
図１０は、選択指示されたグループに含まれる個人情報に対してさらに詳細選択を行う選択ウインドウの表示例を示す図である。例えば、図１０に示すように、グループ「友達」の選択指示がなされると、このグループ「友達」の表示領域がハイライト表示されるとともに、このグループ「友達」に属する各個人情報の名称一覧（「わかな」、「たろう」、…）が表示される。利用者は、名称一覧の中から一あるいは複数の名称を選択することが可能になる。
【００４８】
このようにしてグループの特定、あるいはグループ内の名称の特定が終了した後、リモコンユニット４の「決定」キーが押下されると、ステップ４０２の判定において否定判断が、ステップ４０３の判定において肯定判断がそれぞれ行われた後、特定されたグループや名称に対応する個人情報が選択される（ステップ４０１）。
【００４９】
このようにして、グループ設定が行われている個人情報に対する選択処理が行われる。
このように、本実施形態のナビゲーション装置では、携帯電話７のメモリに格納されている個人情報が読み出され、この個人情報に含まれる電話番号に対応する地図上の表示位置が特定されてこの表示位置に表示する特定画像が描画されるため、携帯電話７に格納されている特定の登録情報を煩雑な操作を行って利用者自身で入力する必要がなく、この登録情報に対応する所在地を地図上に表示することが可能になる。また、利用者自身が入力操作を行わないため、入力ミスの発生を防止することができる。特に、地図画像に重ねて表示する特定画像として、登録されている愛称や略称等の名称を示すテキスト画像や登録画像を用いることにより、この表示内容を見るだけで、利用者はこの表示位置に対応する個人が誰であるかを容易に知ることができる。
【００５０】
なお、本発明は上記実施形態に限定されるものではなく、本発明の要旨の範囲内において種々の変形実施が可能である。例えば、上述した実施形態では、携帯電話７に登録されている個人情報を読み出すようにしたが、パーソナルコンピュータやＰＤＡ(Personal Digital Assistants) 等の携帯電話以外の携帯機器をナビゲーション装置に接続して、これらに登録されている個人情報を読み込むようにしてもよい。
【００５１】
また、上述した実施形態では、携帯電話７とナビゲーション装置をケーブル７ａを介して接続して個人情報の読込みを行っているが、電波や赤外線等を利用した通信によって個人情報の読込みを行うようにしてもよい。
また、上述した実施形態では、個人情報に含まれる電話番号に基づいて、この個人情報に対応する表示位置を特定するようにしたが、他の情報に基づいて表示位置を特定するようにしてもよい。例えば、個人情報に住所が含まれている場合にはこの住所に基づいて表示位置を特定することができる。
【００５２】
また、上述した実施形態では、走行中の車両位置周辺の地図画像表示において、携帯電話７のメモリに登録された個人情報に対応する特定画像を重ねて表示する場合について説明したが、リモコンユニット４の操作に応じて任意の場所に対応する地図画像を表示する場合であってこの表示範囲に表示位置が含まれる場合に特定画像を表示するようにしてもよい。
【００５３】
【発明の効果】
上述したように、本発明によれば、携帯機器のメモリに格納されている特定データが読み出され、この特定データに対応する地図上の表示位置が特定されてこの表示位置に表示する特定画像が描画されるため、携帯機器に格納されている特定の登録情報を煩雑な操作を行って利用者自身で入力する必要がなく、この登録情報に対応する所在地を地図上に表示することが可能になる。また、利用者自身が入力操作を行わないため、入力ミスの発生を防止することができる。
【図面の簡単な説明】
【図１】一実施形態のナビゲーション装置の構成を示す図である。
【図２】携帯電話に登録された個人情報に基づいて表示位置を特定するナビゲーション装置の動作手順を示す流れ図である。
【図３】読み込んだ個人情報の名称一覧表示の具体例を示す図である。
【図４】読み込んだ個人情報のグループ一覧表示の具体例を示す図である。
【図５】走行中において自車位置周辺の地図表示を行うナビゲーション装置の動作手順を示す流れ図である。
【図６】個人情報に対応する特定画像が含まれる地図画像表示の具体例を示す図である。
【図７】個人情報に対応する特定画像が含まれる地図画像表示の具体例を示す図である。
【図８】グループ設定がなされていない個人情報を読み込んだ場合の選択動作手順を示す流れ図である。
【図９】グループ設定がなされている個人情報を読み込んだ場合の選択動作手順を示す流れ図である。
【図１０】選択指示されたグループに含まれる個人情報に対してさらに詳細選択を行う選択ウインドウの表示例を示す図である。
【符号の説明】
１  ナビゲーションコントローラ
２  ＤＶＤ
３  ディスク読取装置
４  リモートコントロール（リモコン）ユニット
５  車両位置検出部
６  ディスプレイ装置
７  携帯電話
７ａ  ケーブル
１０  地図バッファ
１２  地図読出制御部
１４  地図描画部
１６  データ読込部
１７  表示位置特定部
１８  特定画像描画部
２０  ＶＲＡＭ
２１  読出制御部
２２  車両位置計算部
２４  経路探索処理部
２６  誘導経路メモリ
２８  誘導経路描画部
３０  入力処理部
３２  操作画面発生部
３４  マーク画像描画部
３６  画像合成部
【図１】
0004040356.tif 000002
【図２】
0004040356.tif 000003
【図３】
0004040356.tif 000004
【図４】
0004040356.tif 000005
【図５】
0004040356.tif 000006
【図６】
0004040356.tif 000007
【図７】
0004040356.tif 000008
【図８】
0004040356.tif 000009
【図９】
0004040356.tif 000010
【図１０】
0004040356.tif 000011